(57)【要約】【課題】埋設型の体重センサーの搬入設置が容易におこなえるようにし、補修、点検等のメンテナンス作業を短時間で終了できるようにする。【解決手段】フレーム１は、Ｈ鋼などの型鋼を矩形に組み合わせてボルトで固定してあり、フレーム１の４隅には、チャンネル等の型鋼からなるスペーサ２を介してフレーム１の下面から一定距離を離してロードセル３が固定してあるので、フレーム１とロードセル３の間には空間が形成される。建物の入口に設けた入場者判定ゾーンの床に設けたピット６に、周囲の床面とパネル１０の表面が一致するように設置される。複数のパネルによって体重計の秤台が構成されているので分割搬入ができ、メンテナンス作業時の取り外しが容易であり、更に、スペーサ２によってフレーム１の下側に空間が確保されているので作業がやりやすい。【選択図】図２
2006177891.tif 000002
【特許請求の範囲】
【請求項１】
フレームに複数のパネルが固定されており、フレームの下側に空間を設けてロードセルが配置してあるセキュリティシステム用の体重計。
【請求項２】
請求項１において、パネルが弾性材のホゾを介してフレームに取り付けてあるセキュリティシステム用の体重計。
【請求項３】
請求項１において、フレームの下側にスペーサを介してロードセルを配置することによって空間を設けたセキュリティシステム用の体重計。
【請求項４】
請求項１〜３のいずれかの体重計を人体認証手段として使用して施設内への入場の可否を判断するセキュリティシステム。
【発明の詳細な説明】
【技術分野】
【０００１】
本発明は、集合住宅等の施設の入退管理に適用するセキュリティゲートシステムおける入場者の体重を計測するための体重計及びそれを使用したセキュリティゲートシステムに関する。
【背景技術】
【０００２】
不審者の施設への侵入を阻止し、施設のセキュリティを高める必要から、出入口に二つのゲートで区画する入場者判定ゾーンを設け、入場者の指紋、網膜パターン等の肉体の特徴を検知して登録された本人か否かを判定するバイオメトリックス認証（生体認証）を利用してゲートが開閉するシステムが提案されている。
【０００３】
しかし、その人固有の肉体的特徴や、ＩＤ入力等で入場可能な者であるかを判定するだけでは無関係な人が同伴して同時に入場できる可能性があるため、判定ゾーン内に存在する者が１名であるか否かの判定をする必要があり、そのため判定ゾーン内に体重計を設置し、入場者が一人であるかを判定して同伴入室を排除することがおこなわれている。
【０００４】
従来、このような目的に使用する体重計としては、床面上に重量センサーを設置したもの、床に埋設するもの、更には、特許文献１（特開平１０−２６６６５０号）のように、重量計測器をゲートゾーン区画構造体の上方に配置し、ゲートゾーン区画構造体を吊下げることが提案されている。
【特許文献１】特開平１０−２６６６５０号公報
【特許文献２】特開平７−１３９２３４号公報
【特許文献３】特開２０００−３１５２７１号公報
【発明の開示】
【発明が解決しようとする課題】
【０００５】
集合住宅の入口は、日常的に使用するものであり、床面に体重センサーがそれとわかるように設置してあることは美観上好ましくなく、また、センサーの厚みで段差が形成されると老人など足腰の弱い人がつまずく恐れがあり、更には、車椅子での通行や、台車を使った荷物の運搬等に支障をきたす問題があるので、床に体重計を埋設し、一見して体重計が設置してあることがわからないようにすることがおこなわれている。
【０００６】
しかし、体重計の埋設設置は、新設の建物であっても完成してからおこなうものであり、また、判定ゾーンのどの部分に入場者が位置していても体重を正確に測定する必要から、体重計の秤台の面積を判定ゾーンと同面積とする必要があり必然的に面積の大きなものとなるため、完成後の建物内への搬入が困難な場合があった。また、設置後の体重計のメンテナンスにおいて、秤台を床から取り外す作業が大掛かりとなって判定ゾーン内での作業が困難であり、補修に長時間を要することが多く、加えてメンテナンス作業の間は出入口の使用ができないという問題がある。
【０００７】
また、入場者が判定ゾーン内へ入る際は、体重測定の場合と異なり、入場者に測定計器に乗るという意識がないため、通常の歩行状態での入場であっても、測定計器に対してはかなり荒っぽいものとなって衝撃が大きく、体重計のロードセルが上下及び水平方向に揺れ、その揺れ幅が大きい場合には体重の測定に時間がかかるということがある。
そこで、本発明は、埋設型の体重センサーの搬入設置が容易におこなえるようにし、補修、点検等のメンテナンス作業を短時間で終了できるようにするものである。
また、ロードセルの揺れ幅を極力抑え、ロードセルが短時間で安定した状態になるようにするものである。
更に、子供の同伴などの一時的な重量増加にもセキュリティシステムが対応できるようにするものである。
【課題を解決するための手段】
【０００８】
判定ゾーンの大きさのフレームに複数のパネルを固定すると共に、フレームの下側に空間を設けてロードセルを配置したセキュリティシステム用の体重センサーであり、パネルは、弾性材のホゾを介してフレームに取り付けてある。
パネルは、鋼材で構成したり、アルミの角柱を組み合わせたものや、ＡＬＣ版で構成するものである。
【発明の効果】
【０００９】
分割したパネルをフレームに固定して相互に連結して判定ゾーンの面積に等しい秤台を構成するものであるので、設置場所にパネルを搬入するのが容易であると共に、メンテナンスの際も、パネルごとに設置場所から取り外しができるので、作業を短時間でおこなうことができる。また、ロードセルは、フレームの下部に空間を設けて取り付けてあるので、メンテナンス作業が容易である。
パネルが、弾性材のホゾを介してフレームに固定してあるため、入場者が体重センサーに乗る際の衝撃が緩衝されてロードセルに直接的に伝達されず、また、ロードセルの揺れ幅を抑制することができるため、安定状態にすぐ到達し、体重測定を短時間でおこなうことができる。
【発明を実施するための最良の形態】
【００１０】
図１及び図２に示すように、フレーム１は、Ｈ鋼などの型鋼を矩形に組み合わせてボルトで固定したものである。フレーム１の４隅には、チャンネル等の型鋼からなるスペーサ２を介してフレーム１の下面から一定距離を離してロードセル３が固定してあり、フレーム１とロードセル３の間には空間が設けてある。
【００１１】
体重計Ｓは、図１に示すように建物の入口に設けた入場者判定ゾーンの床に設けたピット６に、周囲の床面とパネル１０の表面が一致するように設置される。ピット６の内部には設置台６１が形成してあり、この設置台６１にスペーサ２に固定した体重計Ｓのロードセル３が載置される。スペーサ２の高さは、少なくとも１００ｍｍが必要であり、このスペーサ２によってフレーム１の下側に空間が確保され、作業がやりやすくなる。
【００１２】
組み立てたフレーム１をピット６内に設置し、判定ゾーン内の床面が平坦となるようにパネル１０の表面とその他の部分の床面が一致するように、フレーム１の設置高さを微調整する。ロードセルの信号リードをシステムの回線に接続し、ロードセルの作動状態を確認した後、パネル１０を順にフレーム１に取り付けて固定し、パネル間にはシール１７を充填する。パネル１０は、判定ゾーンの面積に比較して小さいものとしてあり、建物の入口を容易に通過できるので、建物完成後の体重計の設置を円滑におこなうことができる。
【００１３】
パネル１０は、図５に示すように、アルミ角柱１１を組み合わせて軽量化を図って取り扱いやすくしてある。表面にはタイル等の床材１２を貼り付け固定して通常の建築物の床面と変わりがないようにし、入場者に判定ゾーンへ入るときに違和感を覚えさせないようにする。また、図６に示すように、ＡＬＣ版１５を組み合わせたものでもよい。パネル１０の間にはシール１７が充填してある。
【００１４】
図３に示すように、フレーム１の上面にはゴムなどの弾性材からなるホゾ１３が適宜の間隔で固定してあり、パネル１０の下面にはホゾ１３の間隔に対応して凹部１４が形成してある。この凹部１４にホゾ１３を挿入してパネル１０をフレーム１に固定する。
更に、ホゾ１３の周囲には、ゴム製の緩衝材１６が設けてあり、パネル１０は、フレーム１に対して緩衝材１６を介して固定してある。
【００１５】
セキュリティシステムの稼動中に体重計Ｓの点検や故障の修理の際は、パネル１０を簡単に外すことができると共に、フレーム１とロードセル３の間に十分な作業空間を設けてあるので、点検等を簡単におこなうことができ、更に作業を短時間に完了させることができ、出入口の使用停止時間を短縮することができる。
【００１６】
本発明の体重計Ｓを使用したセキュリティシステムの一例は、図７に示すように、第１ゲート５１と第２ゲート５２で区画された入場者判定ゾーン５の床にピットが設けてあり、体重計Ｓが床に埋設設置してある。判定ゾーンは、荷物や子供を同伴したり、車椅子で通過することを考慮して９平方米程度とする。
【００１７】
入場者は、第１ゲート５１において、照合装置（図示しない）に鍵、またはＩＤ情報が記憶させてある鍵やカードを差込み、施設内に立ち入り可能な登録者であることを判定装置に通知することによって、判定ゾーン５内に入る。第１ゲートは、自動的に閉まり、ロックされ、次の入場者の入場を禁止する。
第２ゲート５２は、第１ゲート５１が開いている状態のときは、建物内部から人が出ようとしても開かないように第１ゲート５１に対してインターロックがかけてあり、判定ゾーン５内に入場した入場者が、予め登録してある者であることが確認されたら開くようになっている。
【００１８】
入場者は、判定ゾーン５内に埋設設置してある体重計Ｓによって入場者の体重が測定され、測定データは判定装置（図示しない）に送られ、ＩＤ情報に関連付けて記憶させてある登録体重データと照合し、一致すると判断したら第２ゲート５２が開き、入場者は施設に立ち入ることが可能となる。
【００１９】
重量の許容値は、一般的集合住宅の場合、子供連れの場合が考えられるが、１０〜１５ｋｇの許容範囲で本人か否かを判定する。子供連れか否かによる体重の変動に対応するためには、建物内部にも検定用体重計を設置しておき、外出の際に子供を含めた重量をＩＤに対応した体重であることを記憶させておくことによって解決することができる。検定用体重計によって計測された重量データの登録有効期間は、デフォルトでは１日とするが、この期間を任意に設定するなり、そのまま更新データとするようにしてもよい。
【産業上の利用可能性】
【００２０】
複数のパネルをフレームに固定して判定ゾーンの面積に等しい秤台を構成するものであるので、設置場所にパネルを搬入するのが容易であると共に、メンテナンスの際も、パネルごとに設置場所から取り外しができるので、作業を短時間でおこなうことができ、また、ロードセルは、フレームの下部に空間を設けて取り付けてあるので、建物が完成してからであっても、設置が容易であり、設置後のメンテナンスにおいても、秤台を床から取り外す作業が容易であり、作業に要する時間を短縮することができ、セキュリティシステムの停止時間を短時間とすることができる。
【００２１】
パネルが、弾性材のホゾを介してフレームに固定してあるため、入場者が体重センサーに乗る際の衝撃が緩衝されてロードセルに直接的に伝達されず、また、ロードセルの揺れ幅を抑制することができるため、安定状態に短時間で到達することができ、入場者が通常の歩行状態で荒っぽく入場したとしても、ロードセルが上下及び水平方向に揺れることがなく、短時間で体重データを計測することができる。
【００２２】
また、検定用体重計を建物内部に設けたので、出かけるときの状態をシステムが記憶することができ、大きな荷物や、子供を同行させた場合であっても、登録データと異なるとしてはじかれることがなく、円滑に本人確認をおこなうことができ、安全管理上好ましい住居を提供することができる。
【図面の簡単な説明】
【００２３】
【図１】本発明の体重計を設置した状態の断面図。
【図２】本発明の体重計の要部拡大断面図。
【図３】本発明のパネルとフレームの取り付け状態の平面図。
【図４】本発明の体重計の断面・斜視図。
【図５】パネルの実施例の斜視図。
【図６】パネルの他の実施例の斜視図。
【図７】セキュリティシステムの概念説明図。
【符号の説明】
【００２４】
Ｓ    体重計
１    フレーム
１０  パネル
１３  ホゾ
１４  凹部
２    スペーサ
３    ロードセル
５    判定ゾーン
６    ピット
６１  設置台
５１  第１ゲート
５２  第２ゲート
【図１】
2006177891.tif 000003
【図２】
2006177891.tif 000004
【図３】
2006177891.tif 000005
【図４】
2006177891.tif 000006
【図５】
2006177891.tif 000007
【図６】
2006177891.tif 000008
【図７】
2006177891.tif 000009